(57)【特許請求の範囲】
【請求項１】
遊技球が転動することが可能な遊技領域を有する遊技盤と、
前記遊技盤を支持する支持枠と、
前記支持枠に設けられ、透明な前窓を有するものであって前記遊技盤を遊技者側である前方から覆う閉鎖状態および当該閉鎖状態に比べて前方へ移動した開放状態のそれぞれに操作される前枠と、
前記前枠を閉鎖状態にロックする前枠ロック機構と、
前記支持枠に前記前枠の閉鎖状態で前記遊技盤および前記前枠相互間に位置するように設けられ、透明な中間窓を有するものであって前記遊技盤の遊技領域を前方から覆う閉鎖状態および当該閉鎖状態に比べて前方へ移動した開放状態のそれぞれに前記前枠の開放状態で前記前枠とは独立して操作される中間枠と、
前記中間枠が開放状態から閉鎖状態に操作されることに基づいて前記中間枠を閉鎖状態にロックする中間枠ロック機構と、
前記中間枠に設けられ、前記中間枠が閉鎖状態に操作されている状態で予め決められた正規位置に静止するものであって前記中間枠が閉鎖状態に操作されていない状態で正規位置から変位する目印部と、
前記前枠に設けられ、前記目印部が正規位置に静止しているか否かを前記前枠の閉鎖状態で前方の作業者が目視確認するための窓部を備えたことを特徴とするパチンコ遊技機。
【請求項２】
遊技球が転動することが可能な遊技領域を有する遊技盤と、
前記遊技盤を支持する支持枠と、
前記支持枠に設けられ、透明な前窓を有するものであって前記遊技盤を遊技者側である前方から覆う閉鎖状態および当該閉鎖状態に比べて前方へ移動した開放状態のそれぞれに操作される前枠と、
前記前枠を閉鎖状態にロックする前枠ロック機構と、
前記支持枠に前記前枠の閉鎖状態で前記遊技盤および前記前枠相互間に位置するように設けられ、透明な中間窓を有するものであって前記遊技盤の遊技領域を前方から覆う閉鎖状態および当該閉鎖状態に比べて前方へ移動した開放状態のそれぞれに前記前枠の開放状態で前記前枠とは独立して操作される中間枠と、
前記中間枠が開放状態から閉鎖状態に操作されることに基づいて前記中間枠を閉鎖状態にロックする中間枠ロック機構と、
前記前枠に設けられた開口部と、
前記中間枠に設けられ、前記中間枠から前方へ突出する操作部を備え、
前記操作部は、前記前枠の閉鎖状態で前記中間枠が閉鎖状態に操作されていない場合には前記前枠の開口部を通して前方へ突出した突出状態になると共に前記前枠の閉鎖状態で前記中間枠が閉鎖状態に操作されている場合には当該突出状態に比べて後方へ退避した退避状態になるものであって前記前枠の閉鎖状態で前方の作業者が突出状態から退避状態に操作することが可能なものであり、
前記中間枠は、前記前枠の閉鎖状態で前記中間枠が閉鎖状態に操作されていない場合に前記操作部が突出状態から退避状態に操作されることに基づいて閉鎖状態になるものであることを特徴とするパチンコ遊技機。
【請求項３】
遊技球が転動することが可能な遊技領域を有する遊技盤と、
前記遊技盤を支持する支持枠と、
前記支持枠に設けられ、透明な前窓を有するものであって前記遊技盤を遊技者側である前方から覆う閉鎖状態および当該閉鎖状態に比べて前方へ移動した開放状態のそれぞれに操作される前枠と、
前記前枠を閉鎖状態にロックする前枠ロック機構と、
前記支持枠に前記前枠の閉鎖状態で前記遊技盤および前記前枠相互間に位置するように設けられ、透明な中間窓を有するものであって前記遊技盤の遊技領域を前方から覆う閉鎖状態および当該閉鎖状態に比べて前方へ移動した開放状態のそれぞれに前記前枠の開放状態で前記前枠とは独立して操作される中間枠と、
前記中間枠が開放状態から閉鎖状態に操作されることに基づいて前記中間枠を閉鎖状態にロックする中間枠ロック機構と、
前記前枠に設けられ、前記前枠から前方へ突出する突出状態および当該突出状態に比べて後方へ退避した退避状態相互間で移動可能な移動子と、
前記中間枠に設けられ、前記前枠の閉鎖状態で前記中間枠が閉鎖状態に操作されていない場合に前記前枠の移動子を前方へ押圧することに基づいて突出状態にする押圧部を備え、
前記移動子は、前記前枠の閉鎖状態で前方の作業者が突出状態から退避状態に押込み操作することが可能なものであり、
前記押圧部は、前記移動子が前記前枠の閉鎖状態で突出状態から退避状態に押込み操作されることに基づいて前記中間枠を前記移動子の操作力で閉鎖状態に操作するものであることを特徴とするパチンコ遊技機。
【発明の詳細な説明】
【技術分野】
【０００１】
本発明は遊技盤の遊技領域を前方から前枠および中間枠によって２重に覆う構成のパチンコ遊技機に関する。
【背景技術】
【０００２】
パチンコ遊技機には遊技盤を支持する支持枠に前枠を装着した構成のものがある。この前枠は透明な前窓を支持するものであり、遊技盤を前方から覆う閉鎖状態および閉鎖状態に比べて前方へ移動した開放状態相互間で操作可能にされている。このパチンコ遊技機には前枠ロック機構が搭載されている。この前枠ロック機構は前枠を閉鎖状態にロックすることに基づいて前枠が閉鎖状態から開放状態に向けて操作されることを禁止するものであり、前枠を閉鎖状態から開放状態に操作して遊技盤の障害釘を手指で曲げる等の不正行為を防止することを目的に搭載されている。しかしながら、不正行為者が前枠のロック状態で前枠を閉鎖状態から開放状態に向けて無理に操作したときには前枠および支持枠相互間に隙間が発生する虞がある。このため、前枠および支持枠相互間の隙間から遊技盤にピアノ線を挿入し、遊技盤の障害釘にピアノ線を引掛けて障害釘を曲げる等の不正行為が行われる可能性を排除できない。
【特許文献１】特開２００１−３８０２６号公報
【特許文献２】特開２００１−２３９０４１号公報
【特許文献３】特開２００５−１３７５９４号公報
【発明の開示】
【発明が解決しようとする課題】
【０００３】
本件出願人は中間枠を設けることを提案した。この中間枠は前枠の閉鎖状態で前枠および遊技盤相互間に位置するものであり、中間枠には透明な中間窓が固定されている。この中間枠は遊技盤を前方から覆う閉鎖状態および閉鎖状態に比べて前方へ移動した開放状態のそれぞれに操作されるものであり、開放状態から閉鎖状態に操作されることに基づいて閉鎖状態にロックされる。この中間枠は前枠とは独立して移動するものであり、前枠が無理に操作されることに基づいて前枠および支持枠相互間に隙間が不正に発生した状態でも閉鎖状態に保持される。このため、遊技盤にピアノ線を不正に挿入するには前枠および支持枠相互間の不正な隙間を通して中間枠を無理に操作する難易度の高い作業を行う必要があるので、遊技盤にピアノ線を挿入する不正行為を行うことが困難になる。この中間枠は作業者が前枠の開放状態で開放状態から閉鎖状態に正規に操作するものであり、作業者が前枠および中間枠のそれぞれの開放状態で前枠のみを閉鎖状態に操作した場合には中間枠が閉鎖状態にロックされない虞がある。
【０００４】
本発明は上記事情に鑑みてなされたものであり、作業者が中間枠を忘れることなく閉鎖状態にロックすることができるパチンコ遊技機を提供することを目的とするものである。
【課題を解決するための手段】
【０００５】
１．請求項１記載のパチンコ遊技機の説明
請求項１記載のパチンコ遊技機は［１］遊技盤〜［８］窓部を備えたところに特徴を有している。
［１］遊技盤は遊技球が転動することが可能な遊技領域を有するものである。図２の符号２４は遊技盤に相当し、図２の符号２９は遊技領域に相当する。
［２］支持枠は遊技盤を支持するものであり、図２の内枠２は支持枠に相当する。
［３］前枠は支持枠に設けられたものである。この前枠は透明な前窓を有するものであり、遊技盤を遊技者側である前方から覆う閉鎖状態および閉鎖状態に比べて前方へ移動した開放状態のそれぞれに操作される。図１の符号４は前枠に相当し、図１の符号６は前窓に相当する。
［４］前枠ロック機構は前枠を閉鎖状態にロックするものである。図１の前枠ロックプレート７および図１の前枠ロック金具８のそれぞれは前枠ロック機構の構成要素である。
［５］中間枠は支持枠に前枠の閉鎖状態で遊技盤および前枠相互間に位置するように設けられたものである。この中間枠は透明な中間窓を有するものであり、遊技盤の遊技領域を前方から覆う閉鎖状態および閉鎖状態に比べて前方へ移動した開放状態のそれぞれに前枠の開放状態で前枠とは独立して操作される。図１の符号３３は中間枠に相当し、図１の符号３６は中間窓に相当する。
［６］中間枠ロック機構は中間枠が開放状態から閉鎖状態に操作されることに基づいて中間枠を閉鎖状態にロックするものである。図５の中間枠ロックプレート３８および図５の中間枠ロック金具４１のそれぞれは中間枠ロック機構の構成要素である。
［７］目印部は中間枠に設けられたものである。この目印部は中間枠が閉鎖状態に操作されている状態で予め決められた正規位置に静止するものであり、中間枠が閉鎖状態に操作されていない状態で正規位置から変位する。図６の操作部４６は目印部に相当するものであり、操作部４６の退避状態は正規位置に相当する。
［８］窓部は前枠に設けられたものであり、目印部が正規位置に静止しているか否かを前枠の閉鎖状態で前方の作業者が目視確認するためのものである。このため、前枠の閉鎖状態で前方から目印部の位置を目視で確認し、目印部が正規位置にない場合には前枠を開放して中間枠を閉鎖状態に操作することができるので、中間枠を忘れることなく閉鎖状態にロックできる。図６の符号４３は窓部に相当する。
２．請求項２記載のパチンコ遊技機の説明
請求項２記載のパチンコ遊技機は［１１］開口部および［１２］操作部のそれぞれを備えている点で請求項１記載のパチンコ遊技機に対して相違する。
［１１］開口部は前枠に設けられたものであり、図６の窓部４３は開口部に相当する。
［１２］操作部は中間枠に設けられたものであり、中間枠から前方へ突出するものである。この操作部は前枠の閉鎖状態で中間枠が閉鎖状態に操作されていない場合に前枠の開口部を通して前方へ突出した突出状態になり、前枠の閉鎖状態で中間枠が閉鎖状態に操作されている場合に突出状態に比べて後方へ退避した退避状態になるものであり、作業者が前枠の閉鎖状態で突出状態から退避状態に操作することが可能にされている。中間枠は前枠の閉鎖状態で中間枠が閉鎖状態に操作されていない場合に操作部が突出状態から退避状態に操作されることに基づいて閉鎖状態になる。このため、操作部が突出状態に移動していることを前枠の閉鎖状態で前方から目で確認することに基づいて中間枠が閉鎖状態に操作されていないことを識別し、前枠を閉鎖したまま操作部を突出状態から退避状態に押込むことに基づいて中間枠を閉鎖状態にロックできる。図６の符号４６は操作部に相当する。
３．請求項３記載のパチンコ遊技機の説明
請求項３記載のパチンコ遊技機は［２１］移動子および［２２］押圧部を備えている点で請求項１記載のパチンコ遊技機に対して相違する。
［２１］移動子は前枠に設けられたものである。この移動子は前枠から前方へ突出する突出状態および突出状態に比べて後方へ退避した退避状態相互間で移動可能なものであり、前枠の閉鎖状態で前方の作業者が突出状態から退避状態に押込み操作することが可能なものである。図７の符号５１は移動子に相当する。
［２２］押圧部は中間枠に設けられたものである。この押圧部は前枠の閉鎖状態で中間枠が閉鎖状態に操作されていない場合に前枠の移動子を前方へ押圧することに基づいて突出状態にするものであり、移動子が前枠の閉鎖状態で突出状態から退避状態に押込み操作されることに基づいて中間枠を移動子の操作力で閉鎖状態に操作する。このため、移動子が突出状態に移動していることを前枠の閉鎖状態で前方から目で確認することに基づいて中間枠が閉鎖状態に操作されていないことを識別し、前枠を閉鎖したまま移動子を突出状態から退避状態に押込むことに基づいて中間枠を閉鎖状態にロックできる。図７の符号５５は押圧部に相当する。
【発明を実施するための最良の形態】
【０００６】
【実施例１】
【０００７】
外枠１は、図１に示すように、前面および後面のそれぞれが開口する四角筒状をなすものである。この外枠１はパチンコホールの台島に設置されるものであり、外枠１の左端部には、図２に示すように、内枠２が垂直な軸３を中心に回動可能に装着されている。この内枠２は上下方向へ指向する左枠部と上下方向へ指向する右枠部と左右方向へ指向する上枠部と左右方向へ指向する下枠部を有する四角枠状をなすものであり、閉鎖状態および開放状態相互間で軸３を中心に回動操作される。この内枠２の閉鎖状態は内枠２が前方から外枠１に接触した状態であり、内枠２の開放状態は内枠２が閉鎖状態から前方へ回動した状態であり、内枠２は内枠ロック機構を介して閉鎖状態にロックされている。
【０００８】
内枠２には、図１に示すように、前枠４が装着されている。この前枠４は、図３に示すように、開口部５を有するものであり、前枠４には開口部５を前枠４の後方から塞ぐ透明な前窓６が固定されている。この前枠４は内枠２に前方から接触する閉鎖状態および内枠２から前方へ離間する開放状態相互間で内枠２と共通の軸３を中心に回動操作可能にされたものであり、前枠４の外周部には、図１に示すように、前枠４を取囲む枠状の補強フレーム４ａが後方から固定されている。この前枠４は前枠ロック機構を介して閉鎖状態にロックされている。この前枠ロック機構は前枠４が開放状態から閉鎖状態に操作されることに基づいて前枠４を閉鎖状態にロックするものであり、図１に示すように、３個の前枠ロックプレート７と３個の前枠ロック金具８とリターンスプリングを有している。
【０００９】
３個の前枠ロックプレート７のそれぞれは内枠２の右端部に装着されたものであり、ロック位置およびロック位置に比べて下方のロック解除位置相互間で直線的に移動可能にされている。これら３個の前枠ロックプレート７のそれぞれはリターンスプリングのばね力でロック位置に保持されたものであり、３個の前枠ロックプレート７のそれぞれの前端部には爪部９が形成されている。これら３個の爪部９のそれぞれは前枠ロックプレート７から上方へ突出するものであり、３個の爪部９のそれぞれには前から後に向けて上昇する傾斜面１０が形成されている。
【００１０】
３個の前枠ロック金具８のそれぞれは、図１に示すように、補強フレーム４ａの右端部に固定されたものであり、３個の前枠ロック金具８のそれぞれには上下方向へ指向する縦長なロック孔１１が形成されている。これら３個の前枠ロック金具８のそれぞれは前枠４が開放状態から後方へ軸３を中心に回動操作されることに基づいて爪部９の傾斜面１０を後方へ押圧するものであり、３個の前枠ロックプレート７のそれぞれは爪部９の傾斜面１０が後方へ押圧されることに基づいてリターンスプリングのばね力に抗してロック位置から下降し、３個の爪部９のそれぞれは前枠ロックプレート７が下降することに基づいて前枠ロック金具８のロック孔１１内に進入する。この前枠４が開放状態から閉鎖状態に到達したときには３個の爪部９のそれぞれが前枠ロック金具８のロック孔１１を通過することに基づいて前枠ロック金具８から外れ、３個の前枠ロックプレート７のそれぞれがリターンスプリングのばね力でロック位置に上昇することに基づいて３個の爪部９のそれぞれが前枠ロック金具８に前方から係合し、前枠ロック機構が前枠４を各組の爪部９および前枠ロック金具８相互間の係合力で閉鎖状態にロックするロック状態になる。
【００１１】
前枠４には、図３に示すように、右下部に位置して枠鍵１２が装着されている。この枠鍵１２は円筒状の外筒および円筒状の内筒を有するタンブラー錠からなるものであり、外筒は前枠４に固定され、内筒は外筒の内部に回動可能に挿入されている。この内筒は鍵穴を有するものであり、内筒の内部には前方から鍵穴を通して専用の鍵が着脱可能に挿入される。この内筒は専用の鍵が挿入されていない状態で回動不能にロックされ、専用の鍵が挿入されている状態で回動可能にロック解除されるものであり、専用の鍵が挿入された状態で専用の鍵が回動操作されることに基づいて外筒に対して回動する。
【００１２】
枠鍵１２の内筒には操作プレートが連結されている。この操作プレートは前枠４の閉鎖状態で３個の前枠ロックプレート７のそれぞれに連結され、前枠４の開放状態で３個の前枠ロックプレート７のそれぞれから連結解除されるものであり、作業者が前枠４の閉鎖状態で内筒に専用の鍵を挿入して専用の鍵を回動操作したときには操作プレートが内筒と共に回動することに基づいて３個の前枠ロックプレート７のそれぞれをロック位置からロック解除位置に下降操作する。これら３個の前枠ロックプレート７のそれぞれがロック解除位置に下降した状態では３個の前枠ロックプレート７のそれぞれの爪部９が前枠ロック金具８から外れる。この前枠ロック機構のロック解除状態で前枠４が閉鎖状態から前方へ操作されたときには３個の前枠ロックプレート７のそれぞれの爪部９が前枠ロック金具８のロック孔１１から脱出するので、前枠４が閉鎖状態から開放状態になる。
【００１３】
前枠４には、図３に示すように、前窓６の下方に位置して上皿１３が固定され、上皿１３の下方に位置して下皿１４が固定され、下皿１４の右方に位置してハンドル台１５が固定されている。上皿１３は賞品として払出される遊技球を貯留するものであり、下皿１４は上皿１３内から溢れた遊技球を受けるものであり、上皿１３および下皿１４のそれぞれは上面が開口する皿状をなしている。ハンドル台１５は発射ハンドル１６を支持するものである。この発射ハンドル１６は遊技者が前方から手指で操作するものであり、発射停止位置および発射停止位置に比べて時計回り方向の発射位置相互間で前後方向へ指向する軸１７を中心に回動可能にされている。
【００１４】
内枠２には、図２に示すように、垂直な板状の台板部１８が形成されている。この台板部１８は前枠４の閉鎖状態で上皿１３および下皿１４の双方が前方から対向するものであり、台板部１８には機構板１９が固定されている。この機構板１９には発射ソレノイド２０が固定されている。この発射ソレノイド２０はロータリーソレノイドからなるものであり、発射ハンドル１６が発射停止位置に操作されている状態で電気的なオフ状態になり、発射ハンドル１６が発射停止位置から時計回り方向へ回動操作されている状態で電気的なオン状態になる。この発射ソレノイド２０の出力軸には打球槌が連結されており、発射ソレノイド２０は電気的なオン状態で打球槌を待機位置および待機位置に比べて左方の打球位置相互間で往復的に移動操作する。
【００１５】
内枠２の機構板１９には、図２に示すように、発射レール２１が固定されている。この発射レール２１は発射ソレノイド２０の電気的なオン状態で上皿１３内から遊技球が１個単位で移送されるものであり、右から左に向けて上昇する傾斜状をなしている。この発射レール２１の右端部には球止めプレート２２が形成されており、球止めプレート２２には遊技球が通過することが不能な大きさの貫通孔が形成されている。この球止めプレート２２は上皿１３内から発射レール２１に移送された遊技球が発射レール２１の右端部から転落することを防止するものであり、打球槌は待機位置から打球位置に移動することに基づいて球止めプレート２２が転落不能に支持する遊技球を球止めプレート２２の貫通孔を通して右から左に叩き、発射レール２１に沿って右から左に転動させる。
【００１６】
内枠２には、図２に示すように、台板部１８の上方に位置して空間状の遊技盤収納部２３が形成されており、遊技盤収納部２３内には垂直な板状の遊技盤２４が収納されている。この遊技盤２４は前枠４の閉鎖状態で前方から前枠４によって覆われるものであり、遊技盤２４には内レール２５と外レール２６と球止め部材２７のそれぞれが固定されている。内レール２５は上面が開口する円弧状の金属板から構成されたものであり、外レール２６は内レール２５の外周部に配置された円弧状の金属板から構成されたものであり、球止め部材２７は内レール２５の右端部および外レール２６の右端部相互間の隙間を塞ぐゴムから構成されたものである。これら内レール２５および外レール２６相互間には左側部に位置して発射通路２８が形成されている。この発射通路２８は下端部および上端部のそれぞれが開口する円弧状をなすものである。この発射通路２８の下端部の入口は発射レール２１の左端部から発射された遊技球が進入するものであり、発射通路２８内に進入した遊技球は発射通路２８に沿って円弧状の軌跡を描きながら上昇した後に発射通路２８の上端部の出口から放出される。
【００１７】
遊技盤２４には、図２に示すように、発射通路２８に隣接して遊技領域２９が形成されている。この遊技領域２９は内レール２５と外レール２６と球止め部材２７で囲まれた領域のうち発射通路２８を除く残りの円形状の領域を称するものであり、発射通路２８の出口から放出された遊技球が転動することが可能な最大範囲に相当する。遊技盤２４には遊技領域２９内に位置して複数の障害釘が固定されており、発射通路２８の出口から遊技領域２９内に放出された遊技球は障害釘に当りながら遊技領域２９内を落下する。この遊技領域２９は前枠４の閉鎖状態で前窓６が前方から対向するものであり、前枠４の閉鎖状態で前方から前窓６を通して視覚的に認識可能にされている。
【００１８】
遊技盤２４には遊技領域２９内に位置して複数の入賞口が固定されている。これら複数の入賞口のそれぞれは遊技球が遊技領域２９内を落下する途中で入賞することが可能なものであり、遊技球が複数の入賞口のいずれかに入賞したときには上皿１３内に遊技球が賞品として払出される。遊技盤２４には、図２に示すように、遊技領域２９内に位置して貫通孔状のアウト口３０が形成されている。このアウト口３０は内レール２５の最低部に配置されたものであり、複数の入賞口のいずれにも入賞しなかった遊技球は内レール２５に沿って落下することに基づいてアウト口３０内に進入し、アウト口３０から遊技盤２４の後方に排出される。
【００１９】
内枠２には、図２に示すように、軸３側である左端部に位置して上金具３１および下金具３２のそれぞれが固定されている。これら上金具３１および下金具３２のそれぞれは水平な板状をなすものであり、上金具３１および下金具３２には、図４に示すように、共通の中間枠３３が垂直な軸３４を中心に回動可能に装着されている。この中間枠３３は開口部３５を有する八角環状をなすものであり、中間枠３３には開口部３５を塞ぐ透明なガラス製の中間窓３６が固定されている。
【００２０】
中間枠３３は軸３４を中心に閉鎖状態および開放状態相互間で回動操作されるものであり、中間枠３３の回動操作は前枠４の開放状態で前方から前枠４とは独立して行われる。この中間枠３３の開放状態は、図５に示すように、中間枠３３が遊技盤２４から前方へ離間した状態であり、中間枠３３の閉鎖状態は、図４に示すように、中間枠３３が遊技盤２４に前方から接触した状態であり、中間枠３３は閉鎖状態で内レール２５と外レール２７と球止め部材２７のそれぞれを取囲むように遊技盤２４の遊技領域２９を前方から覆う。この中間枠３３の中間窓３６は中間枠３３の閉鎖状態で遊技盤２４の遊技領域２９に前方から対向するものであり、遊技盤２４の遊技領域２９は前枠４および中間枠３３のそれぞれの閉鎖状態で前方から前窓６および中間窓３６の双方を通して視覚的に認識可能にされている。この中間枠３３には切欠状の遊技球通過口３７が形成されており、中間枠３３の閉鎖状態では発射レール２１から発射された遊技球が中間枠３３の遊技球通過口３７を通過して発射通路２８内に進入する。この中間枠３３は中間枠ロック機構を介して閉鎖状態にロックされている。この中間枠ロック機構は中間枠３３が開放状態から閉鎖状態に操作されることに基づいて中間枠３３を閉鎖状態にロックするものであり、次のように構成されている。
【００２１】
内枠２の右端部には、図５に示すように、中間枠ロックプレート３８が装着されている。この中間枠ロックプレート３８はロック位置およびロック位置に比べて下方のロック解除位置相互間で直線的に移動可能にされたものであり、リターンスプリングのばね力でロック位置に保持されている。この中間枠ロックプレート３８の前端部には爪部３９が形成されている。この爪部３９は中間枠ロックプレート３８から上方へ突出するものであり、爪部３９には前から後に向けて上昇する傾斜面４０が形成されている。
【００２２】
中間枠３３には、図５に示すように、軸３４とは反対側の右端部に位置して板状の中間枠ロック金具４１が固定されている。この中間枠ロック金具４１は中間枠３３が開放状態から後方へ操作されることに基づいて中間枠ロックプレート３８の傾斜面４０を後方へ押圧するものであり、中間枠ロックプレート３８は傾斜面４０が後方へ押圧されることに基づいてリターンスプリングのばね力に抗してロック位置から下降する。この中間枠３３が開放状態から閉鎖状態に到達したときには中間枠ロック金具４１が中間枠ロックプレート３８の爪部３９を後方に通過し、中間枠ロックプレート３８がリターンスプリングのばね力でロック位置に上昇する。この中間枠ロック機構のロック状態では中間枠ロックプレート３８の爪部３９が中間枠ロック金具３８に前方から係合し、中間枠３３が閉鎖状態にロックされる。
【００２３】
中間枠ロックプレート３８には、図５に示すように、操作レバー４２が連結されている。この操作レバー４２は前枠４の閉鎖状態で前枠４によって前方から操作不能に覆われるものであり、前枠４の開放状態で前方から操作可能に露出する。この操作レバー４２は中間枠ロックプレート３８をリターンスプリングのばね力に抗してロック位置からロック解除位置に移動操作するためのものであり、作業者が中間枠３３のロック状態で前枠４を開放して操作レバー４２を下方へ操作したときには中間枠ロックプレート３８がロック位置からロック解除位置に移動することに基づいて中間枠ロックプレート３８の爪部３９が中間枠ロック金具４１から外れる。この中間枠ロック機構のロック解除状態で作業者が中間枠３３を前方へ操作したときには中間枠３３が閉鎖状態から開放状態に回動し、遊技盤２４の遊技領域２９が開放される。
【００２４】
前枠４には、図６に示すように、貫通孔状の窓部４３が形成されており、窓部４３内には筒状のガード部材４４が挿入されている。このガード部材４４はゴムを材料とするものであり、窓部４３の内周面に弾性復元力で密着している。このガード部材４４の後端部にはストッパ４５が接合されており、ガード部材４４はストッパ４５が前枠４の後面に接触することに基づいて窓部４３の内周面から前方へ抜取られることが防止されている。
【００２５】
中間枠ロック金具４１には、図６に示すように、操作部４６が形成されている。この操作部４６は中間枠３３から前方へ突出する板状をなすものであり、前枠４および中間枠３３のそれぞれの閉鎖状態で貫通孔４ｂ内に挿入されている。この貫通孔４ｂは前枠４の補強フレーム４ａに窓部４３の後方に位置して形成されたものであり、前枠４および中間枠３３のそれぞれが閉鎖状態にロックされている状態では、図６に実線で示すように、操作部４６の前端部が補強フレーム４ａの貫通孔４ｂを通してガード部材４４の内周面に移動可能に挿入された退避状態になる。この操作部４６の退避状態では操作部４６の前端面が前枠４の前面と同一の平面上に位置し、作業者は前枠４の閉鎖状態で操作部４６の位置を前枠４の前面を基準に確認することで中間枠３３が閉鎖状態にロックされていることを目で識別できる。
【００２６】
操作部４６は、図６に二点鎖線で示すように、前枠４の閉鎖状態で中間枠３３が閉鎖状態に操作されていない場合にガード部材４４を通して前枠４の前方に突出した突出状態になるものであり、作業者は前枠４の閉鎖状態で操作部４６の位置を前枠４の前面を基準に確認することで中間枠３３が閉鎖状態にロックされていないことを目で識別できる。この操作部４６は作業者が前枠４の閉鎖状態で前方から操作することが可能なものであり、作業者が前枠４の閉鎖状態で操作部４６を突出状態から退避状態に押込み操作したときには中間枠３３が軸３４を中心に後方へ回動することに基づいて閉鎖状態になり、中間枠ロック機構が中間枠３３を閉鎖状態にロックする。この操作部４６は退避状態および突出状態のそれぞれでガード部材４４の内周面にガード部材４４の弾性復元力で密着するものであり、不正行為者が前方から操作部４６の外周面およびガード部材４４の内周面相互間を通してピアノ線を挿入することは不能にされている。
【００２７】
上記実施例１によれば次の効果を奏する。
遊技盤２４および前枠４相互間に中間枠３３を設けた。この中間枠３３は前枠４とは独立して移動するものであり、前枠４が無理に操作されることに基づいて前枠４および内枠２相互間に隙間が不正に発生した状態でも閉鎖状態に保持される。このため、遊技盤２４にピアノ線を不正に挿入するには前枠４および内枠２相互間の不正な隙間を通して中間枠３３を無理に操作する難易度の高い作業を行う必要があるので、遊技盤２４にピアノ線を挿入する不正行為を行うことが困難になる。前枠４の閉鎖状態で中間枠３３が閉鎖状態にロックされている場合には中間枠３３の操作部４６を予め決められた退避状態に静止させた。このため、操作部４６が退避状態から前方へ変位していることを前枠４の閉鎖状態で前方から目で確認することに基づいて中間枠３３が閉鎖状態に操作されていないことを識別し、前枠４を閉鎖状態から開放状態に操作して中間枠３３を閉鎖状態に操作することができる。
【００２８】
前枠４の閉鎖状態で中間枠３３が閉鎖状態に操作されていない場合には操作部４６を前枠４の窓部４３を通して前方へ突出させた。このため、操作部４６が突出状態に移動していることに基づいて中間枠３３が閉鎖状態に操作されていないことを識別し、前枠４を閉鎖したまま操作部４６を突出状態から退避状態に押込むことで中間枠３３を閉鎖状態にロックすることができる。窓部４３の内周面にゴム製のガード部材４４を嵌合し、操作部４６をガード部材４４の内周面に移動可能に嵌合することで操作部４６の外周面を突出状態および退避状態のそれぞれでガード部材４４の内周面に密着させた。このため、操作部４６の外周面および窓部４３の内周面相互間の隙間が塞がれるので、前方から操作部４６の外周面および窓部４３の内周面相互間の隙間を通してピアノ線を挿入する不正行為を行うことが不能になる。
【実施例２】
【００２９】
前枠４の窓部４３には、図７に示すように、移動子５１が前後方向へ移動可能に挿入されている。この移動子５１の前端部には操作部５２が固定され、移動子５１の後端部にはばね受け５３が固定されている。これら操作部５２およびばね受け５３のそれぞれは移動子５１の外周面から突出する鍔状をなすものであり、移動子５１の外周面にはばね受け５３および前枠４相互間に位置して後スプリング５４が挿入され、操作部５２および前枠４相互間に位置して前スプリング５６が挿入されている。これら後スプリング５４および前スプリング５６のそれぞれは圧縮コイルばねからなるものであり、移動子５１は後スプリング５４のばね力および前スプリング５６のばね力の双方で操作部５２が前枠４から前方へ突出した中立状態に保持されている。この移動子５１の中立状態では後スプリング５４および前スプリング５６のそれぞれが自然状態になっており、操作部５２およびばね受け５３のそれぞれが前枠４から離間している。
【００３０】
中間枠３３の中間枠ロック金具４１には、図７に示すように、押圧部５５が形成されている。この押圧部５５は中間枠３３から前方へ突出する板状をなすものであり、前枠４および中間枠３３のそれぞれの閉鎖状態では押圧部５５が移動子５１のばね受け５３から後方へ離間することに基づいて移動子５１が中立状態に保持されている。この押圧部５５は前枠４の閉鎖状態で中間枠３３が閉鎖状態に操作されていない場合にばね受け５３を前方へ押圧するものであり、前枠４の閉鎖状態で中間枠３３が閉鎖状態に操作されていない場合には押圧部５５がばね受け５３を前方へ押圧することに基づいて移動子５１をスプリング５４のばね力に抗して中立状態から前方へ突出した突出状態に操作する。この移動子５１の突出状態では前スプリング５６が収縮することなく後スプリング５４が収縮し、移動子５１が後スプリング５４のばね力で後方へ付勢される。
【００３１】
移動子５１は前枠４の閉鎖状態で前方から押込み操作することが可能なものであり、移動子５１の突出状態で移動子５１の操作部５２が後方へ押込み操作されたときには移動子５１が突出状態から退避状態に移動する。この移動子５１の退避状態は中立状態に比べて後方へ移動した状態であり、移動子５１の退避状態では後スプリング５４が収縮することなく前スプリング５６が収縮し、移動子５１が前スプリング５６のばね力で前方へ付勢される。この移動子５１が突出状態から退避状態に押込み操作されたときには移動子５１の操作力が押圧部５５を通して中間枠３３に伝わることに基づいて中間枠３３が閉鎖状態に移動し、中間枠ロック機構が中間枠３３を閉鎖状態にロックする。この移動子５１の退避状態で移動子５１の操作部５２から押込み操作力が除去されたときには移動子５１が前スプリング５６のばね力で前方へ移動し、突出状態に復帰する。
【００３２】
前枠４には、図７に示すように、ゴム製のカバー５７が固定されている。このカバー５７は移動子５１の操作部５２を前方から覆うものであり、前方から移動子５１の外周面および窓部４３の内周面相互間を通してピアノ線が挿入されることを防止する。このカバー５７は伸縮可能な蛇腹状をなすものであり、移動子５１はカバー５７が弾性的に伸縮することに基づいて突出状態および退避状態相互間で移動することが許容される。
【００３３】
上記実施例２によれば次の効果を奏する。
前枠４の閉鎖状態で中間枠３３が閉鎖状態に操作されていない場合には移動子５１を前枠４の窓部４３を通して前方の突出状態に移動させた。このため、移動子５１が突出状態に移動していることに基づいて中間枠３３が閉鎖状態に操作されていないことを識別し、前枠４を閉鎖したまま移動子５１を突出状態から退避状態に押込むことで中間枠３３を閉鎖状態にロックすることができる。
【実施例３】
【００３４】
中間枠３３の押圧部５５は、図８に示すように、前枠４および中間枠３３のそれぞれの閉鎖状態で移動子５１のばね受け５３に後方から接触するものであり、後スプリング５４は移動子５１のばね受け５３を後方へ付勢することに基づいて押圧部５５に接触した状態に保持している。この移動子５１は前枠４および中間枠３３のそれぞれの開放状態で前枠４が閉鎖状態に操作された場合に押圧部５５を後方へばね受け５３を介して押込むことに基づいて中間枠３３を閉鎖状態に操作するものであり、後スプリング５４は中間枠３３を後方へ押込むときには緩衝器として機能する。［その他発明１］は実施例３を記載したものである。
［その他発明１］
遊技球が転動することが可能な遊技領域を有する遊技盤と、
前記遊技盤を支持する支持枠と、
前記支持枠に設けられ、透明な前窓を有するものであって前記遊技盤を遊技者側である前方から覆う閉鎖状態および当該閉鎖状態に比べて前方へ移動した開放状態のそれぞれに操作される前枠と、
前記前枠を閉鎖状態にロックする前枠ロック機構と、
前記支持枠に前記前枠の閉鎖状態で前記遊技盤および前記前枠相互間に位置するように設けられ、透明な中間窓を有するものであって前記遊技盤の遊技領域を前方から覆う閉鎖状態および当該閉鎖状態に比べて前方へ移動した開放状態のそれぞれに前記前枠の開放状態で前記前枠とは独立して操作される中間枠と、
前記中間枠が開放状態から閉鎖状態に操作されることに基づいて前記中間枠を閉鎖状態にロックする中間枠ロック機構と、
前記中間枠に設けられ、前記中間枠から前方へ突出する押圧子と、
前記前枠に前後方向へ移動可能に設けられた移動子と、
前記移動子を後方へ付勢するものであって、前記前枠および前記中間枠のそれぞれの閉鎖状態で前記移動子を前記押圧子に接触した状態に保持するばね部材を備え、
前記移動子は、前記前枠および前記中間枠のそれぞれの開放状態で前記前枠が閉鎖状態に操作された場合に前記押圧子を後方へ押込むことに基づいて前記中間枠を閉鎖状態に操作するものであることを特徴とするパチンコ遊技機。
【図面の簡単な説明】
【００３５】
【図１】本発明の実施例１を示す図（パチンコ遊技機の外観を前枠の開放状態で前方から示す斜視図）
【図２】パチンコ遊技機の外観を前枠の閉鎖状態で前方から示す斜視図
【図３】パチンコ遊技機の外観を前枠および中間枠の除去状態で前方から示す図
【図４】パチンコ遊技機の外観を前枠の除去状態で前方から示す図
【図５】パチンコ遊技機の外観を前枠および中間枠の開放状態で前方から示す斜視図
【図６】図３のＸ６線に沿う断面図
【図７】本発明の実施例２を示す図６相当図
【図８】本発明の実施例３を示す図６相当図
【符号の説明】
【００３６】
２は内枠（支持枠）、４は前枠、６は前窓、２４は遊技盤、２９は遊技領域、３３は中間枠、３６は中間窓、４３は窓部（開口部）、４６は操作部（目印部）、５１は移動子、５５は押圧部を示している。
【図１】
0005092906.tif 000002
【図２】
0005092906.tif 000003
【図３】
0005092906.tif 000004
【図４】
0005092906.tif 000005
【図５】
0005092906.tif 000006
【図６】
0005092906.tif 000007
【図７】
0005092906.tif 000008
【図８】
0005092906.tif 000009